(57)【特許請求の範囲】
【請求項１】
直列コイル型が採択されたモータと、
前記モータの固定子の相電流を検出する電流検出部と、
前記検出された相電流を基盤として前記モータで発生する逆相成分に対する電流補償値を算出する補償電流算出部と、
前記補償電流算出部で提供する電流補償値及び制御システムで提供する電流指令値を利用してインバータ制御のための制御信号を生成する正相電流制御機と、
前記電流補償値及び前記制御システムで提供する電流指令値を利用して逆相成分除去のための信号を生成し、前記正相電流制御機に提供する逆相電流制御機と、
前記正相電流制御機が提供する制御信号によるモータ動作信号を生成するインバータと、
前記逆相電流制御機から出力された逆相成分を数学的に定義された故障モデルに適用し、故障した相及び故障の程度を検出する故障検出部と、
前記故障した相及び故障の程度が適用された電流指令値を提供する制御システムと、を含み、前記故障検出部の故障モデルは、
故障が発生した前記モータの特定相の特定スロットおよび特定相と同一相の他のスロットの誘導磁束変化量を適用した故障モデルであり、
前記モータが３相であり、Ａ−相でｘ（故障した相、故障したポールペアで良好なコイルの比率）程度の故障が発生したと仮定した場合、前記故障モデルの磁束方程式は、
【数１３】
0005639681.tif 000013
であり、
Ｒｓ及びＬｓは、
【数１４】
0005639681.tif 000014
であり、
ここで、前記ｖａ、ｖｂ、ｖｃは、モータの相電圧を示し、ｆは、コイル短絡が発生して形成された閉回路を表示し、Ｐは、ポール数であり、Ｐ／２は、ポールペアの数、Ｌｍ、Ｌｌは、モータが正常状態であるときの各相の自己インダクタンス、漏れインダクタンスであり、Ｒは、相抵抗成分、Ｒｆは、短絡しながら発生した接触抵抗成分であり、ｘは、故障したポールの故障がないコイルの比率であり、γは、特定相のスロットで同一相の残りの他のポールペアの結合係数であることを特徴とする直列コイル型永久磁石モータの故障検出を支援するシステム。
【請求項２】
前記補償電流算出部は、
３相電流を２相同期座標系に転換した後、逆相成分補償のための電流補償値を算出することを特徴とする請求項１に記載の直列コイル型永久磁石モータの故障検出を支援するシステム。
【請求項３】
前記逆相成分補償のための前記モータの各バランスされた電流は、
【数１２】
0005639681.tif 000015
であることを特徴とする請求項２に記載の直列コイル型永久磁石モータの故障検出を支援するシステム。
【請求項４】
短絡による異常電流ｉｆは、
【数１５】
0005639681.tif 000016
であることを特徴とする請求項３に記載の直列コイル型永久磁石モータの故障検出を支援するシステム。
【請求項５】
前記逆相電流制御機の出力をフィルタリングした電圧値の同期座標系値は、
【数１６】
0005639681.tif 000017
であることを特徴とする請求項４に記載の直列コイル型永久磁石モータの故障検出を支援するシステム。
【請求項６】
直列コイル型モータをあらかじめ定義された電流指令値を基盤として駆動する段階と、
前記モータの相電流ベクトルを検出する段階と、
前記相電流ベクトルを基盤として前記モータの逆相(Negative Sequence)成分除去のための電流補償値を算出する段階と、
前記電流補償値を逆相電流制御機に提供する段階;
前記逆相電流制御機から出力された逆相(Negative Sequence)成分を数学的に定義された故障モデルに適用し、故障した相及び故障の程度を算出する段階;
前記算出された故障した相及び故障程度を適用した電流指令値を適用する適用段階;を含み、
前記故障モデルは
故障が発生した前記モータの特定相の特定スロット及び特定相と同一相の他のスロットの誘導磁束変化量(γ)を適用した故障モデルであり、
前記モータが３相であり、Ａ−相でｘ（故障した相、故障したポールペアで良好なコイルの比率）程度の故障が発生したと仮定した場合、前記故障モデルの磁束方程式は、
【数１３】
0005639681.tif 000018
であり、
Ｒｓ及びＬｓは、
【数１４】
0005639681.tif 000019
であり、
ここで、前記ｖａ、ｖｂ、ｖｃは、モータの相電圧を示し、ｆは、コイル短絡が発生して形成された閉回路を表示し、Ｐは、ポール数であり、Ｐ／２は、ポールペアの数、Ｌｍ、Ｌｌは、モータが正常状態であるときの各相の自己インダクタンス、漏れインダクタンスであり、Ｒは、相抵抗成分、Ｒｆは、短絡しながら発生した接触抵抗成分であり、ｘは、故障したポールの故障がないコイルの比率であり、γは、特定相のスロットで同一相の残りの他のポールペアの結合係数であることを特徴とする直列コイル型永久磁石モータの故障検出方法。
【請求項７】
前記適用段階は、前記故障した相及び前記故障程度を基盤として前記モータの速度及び相電流の量を調節し、過電流の発生を抑制する段階を含むことを特徴とする請求項６に記載の直列コイル型永久磁石モータの故障検出方法。
【発明の詳細な説明】
【技術分野】
【０００１】
本発明は、永久磁石電動機に関し、特に直列コイル型永久磁石モータの固定子コイルが短絡されて発生する故障を数学的なモデルを基盤として故障が発生した相とその量を検出することができるように支援する直列コイル型永久磁石モータの故障検出方法及びシステムに関する。
【背景技術】
【０００２】
一般的に、電動機の構造は、固定子と回転子の構造よりなる。小型の場合、固定子は、主に永久磁石を使用し、回転子には、コイルを巻き取り、これに電流を流して電磁石になるようにして、固定子と回転子との相互作用により回転するようになっている。この際、回転子が回動する状態でも続いて給電することができるようにする構造となっていることがブラシ（ｂｒｕｓｈ）部分である。
【０００３】
しかし、最近、半導体の発達に伴い、回転子には、永久磁石を使用し、固定子には、コイルを巻き取り、これに電源を供給する方式が適用されている。このような方式は、固定子を順次に磁化させることによって、まるで固定子が回動することのように作用するようになり、固定子に磁気的に対応する回転子が回転するようになる。このような電動機を永久磁石型同期モータＰｅｒｍａｎｅｎｔ  Ｍａｇｎｅｔ  Ｓｙｎｃｈｒｏｎｏｕｓ  Ｍｏｔｏｒ、ＰＭＳＭと言う。前記ＰＭＳＭ電動機は、回転子が永久磁石になり、外部電源によらずに磁束が発生するので、電力消耗を最小化し、全体システムの効率向上を期待することができる。
【０００４】
このような永久磁石電動機の形態は、回転子と固定子の配置形態によって区分されることができる。特に回転子の表面に永久磁石を付着する形態のＳＰＭ（ＳＰＭ；Ｓｕｒｆａｃｅ−Ｍｏｕｎｔｅｄ  Ｐｅｒｍａｎｅｎｔ  Ｍａｇｎｅｔ  Ｍｏｔｏｒ）は、磁石が円筒シャフト表面に付着し、正弦波逆起電力を発生させ、電気子コイルに正弦波電流を印加すれば、常時一定のトークを発生する。
【０００５】
一方、従来の電動機構造において固定子のコイルは、隣接するコイルと短絡しないように絶縁体が取り囲む形態で提供される。ところが、コイルを取り囲む絶縁体は、モータの使用によって老化するか、モータ内に誘起される一定の電源やスパークなどによって損傷される場合がたまに発生するようになる。これにより、コイルを取り囲む絶縁体が剥がれて、コイルが外部に露出し、露出したコイルは、隣合う他の露出したコイルと電気的に短絡を起こす問題がある。このようなコイル短絡の問題を解決するために、従来は、単純にモータの初期動作を基準として一定のレベルの出力が発揮されない場合のみを基準として検出したので、モータの正確な故障発生の原因を把握することができず、それによる適切なモータ制御の実行が難しい問題があった。ここで、従来の故障検出方法は、一定の基準レベルを実験的に適用する形態なので、故障検出方法においても非常に多い偏差と誤差を有する問題があり、これを減らすために、さらに多い実験的データ獲得が要求されるので、それによる多い努力と経費が要求されるという問題もあった。
【発明の概要】
【発明が解決しようとする課題】
【０００６】
したがって、本発明の目的は、モータの固定子巻線の絶縁体が破壊され、内部コイル間に互いに短絡して発生する故障を容易に且つ精密に検出することができ、故障の程度と故障発生の相を正確に検出し、故障に対する分析を容易に行うことができる直列コイル型永久磁石モータの故障検出方法及びシステムを提供することにある。  
【０００７】
また、本発明の他の目的は、内部短絡による故障電流の量を推定し、適切な制限を通じてさらに安定的なモータ制御運転点を基準としてモータ動作を制御することができるように支援する直列コイル型永久磁石モータの故障検出方法及びシステムを提供することにある。
【課題を解決するための手段】
【０００８】
本発明の実施例によるモータシステムは、直列コイル型が採択されたモータと、前記モータの固定子の相電流を検出する電流検出部と、前記検出された相電流を基盤として前記モータで発生する逆相(Negative Sequence)成分に対する電流補償値を算出する補償電流算出部と、前記補償電流算出部で提供する電流補償値及び制御システムで提供する電流指令値を利用してインバータ制御のための制御信号を生成する正相(Positive Sequence)電流制御機と、前記電流補償値及び前記制御システムで提供する電流指令値を利用して逆相(Negative Sequence)成分除去のための信号を生成し、前記正相(Positive Sequence)電流制御機に提供する逆相(Negative Sequence)電流制御機と、前記正相(Positive Sequence)電流制御機が提供する制御信号によるモータ動作信号を生成するインバータと、前記逆相(Negative Sequence)電流制御機の出力を数学的に定義された故障モデルに適用し、故障した相及び故障の程度を検出する故障検出部と、前記故障した相及び故障の程度が適用された電流指令値を提供する制御システムとを含み、前記故障検出部の故障モデルは、故障が発生した前記モータの特定相の特定スロットでの磁束変化及び特定相と同一相の他のスロットの誘導磁束変化量を適用した故障モデルであることを特徴とする直列コイル型永久磁石モータの故障検出を支援するシステムの構成を開示する。
【０００９】
前記補償電流算出部は、３相電流を２相同期座標系に転換した後、逆相(Negative Sequence)成分補償のための電流補償値を算出する。
【００１０】
前記逆相(Negative Sequence)成分補償のための前記モータの各バランスされた電流は、
【００１１】
【数１】
0005639681.tif 000002
【００１２】
であり、前記モータが３相であり、Ａ−相でｘ（故障した相、故障したポールペア（Pole pair）で良好なコイルの比率）程度の故障が発生したと仮定した場合、前記故障モデルの磁束方程式は、
【００１３】
【数２】
0005639681.tif 000003
【００１４】
であり、Ｒｓ及びＬｓは、
【００１５】
【数３】
0005639681.tif 000004
【００１６】
であり、ここで、前記ｖａ、ｖｂ、ｖｃは、モータの相電圧を示し、ｆは、コイル短絡が発生して形成された閉（ｃｌｏｓｅｄ）回路を表示し、Ｐは、ポール数（pole number）であり、Ｐ／２は、ポールペアの数（Pole pair number）、Ｌｍ、Ｌｌは、モータが正常状態であるときの各相の自己インダクタンス（Self inductance）、漏れインダクタンス（Leakage inductance）であり、Ｒは、相抵抗成分、Ｒｆは、短絡（Turn short）しながら発生した接触抵抗成分であり、ｘは、故障したポール（Pole）の故障がないコイルの比率であり、γは、特定相のスロットで同一相の残りの他のポールペア（Pole pair）の結合係数（coupling factor）になる。
【００１７】
また、短絡による異常電流ｉｆは、
【００１８】
【数４】
0005639681.tif 000005
【００１９】
になる。前記逆相(Negative Sequence)電流制御機の出力をフィルタリングした電圧値の同期座標系値は、
【００２０】
【数５】
0005639681.tif 000006
【００２１】
になる。
【００２２】
本発明は、また、直列コイル型モータをあらかじめ定義された電流指令値を基盤として駆動する段階と、前記モータの相電流ベクトルを検出する段階と、前記相電流ベクトルを基盤として前記モータの逆相(Negative Sequence)成分除去のための電流補償値を算出する段階と、前記電流補償値を逆相(Negative Sequence)電流制御機に提供し、前記逆相(Negative Sequence)電流制御機の出力と、故障が発生した直列コイル型モータの特定相の特定スロット及び前記特定相と同一相の他のスロットの誘導磁束変化量を適用した故障モデルを利用して前記直列コイル型モータの故障した相及び故障の程度を算出する段階と、前記算出された故障した相及び故障程度を適用した電流指令値を適用する適用段階とを含むことを特徴とする直列コイル型永久磁石モータの故障検出方法の構成を開示する。
【００２３】
ここで、前記適用段階は、前記故障した相及び前記故障程度を基盤として前記モータの速度及び相電流の量を調節し、過電流の発生を抑制する段階を含むことができる。
【発明の効果】
【００２４】
本発明の直列コイル型永久磁石モータの故障検出方法及びシステムによれば、本発明は、モータの故障をモータの形態とパラメータ（Ｐａｒａｍｅｔｅｒ）のみを基準として容易に検出することができるように支援し、モータの故障検出を、試験を通じて行うものでなく、モデルを基準として行うので、多様なモータに対して故障算出機能をさらに容易に適用することができる。
【００２５】
また、本発明は、モータ故障電流を推定することができ、モータの故障が拡大されない方式を基盤として運転することができるように支援する。
【図面の簡単な説明】
【００２６】
【図１】図１は、本発明の実施例による故障モデル適用直列コイル型永久磁石電動機の構造を概略的に示すブロック図である。
【図２】図２は、図１の永久磁石電動機の形態をさらに詳しく示す回路図である。
【図３】図３は、本発明の永久磁石電動機の構造のうちモータを概略的に示す図である。
【図４】図４は、故障が発生したモータの駆動解釈のための等価モデルを示す図である。
【図５】図５は、本発明の実施例による故障モデル適用直列コイル型永久磁石電動機の故障検出方法を説明するための図である。
【図６】図６は、本発明の故障モデルの実際正確度を説明するための図である。
【図７】図６は、本発明の故障モデルの実際正確度を説明するための図である。
【発明を実施するための形態】
【００２７】
以下、本発明による好ましい実施例を添付の図面を参照して詳しく説明する。下記の説明では、本発明の実施例による動作を理解するのに必要な部分だけが説明され、その他の部分の説明は、本発明の要旨を不明にしないように省略されることに留意しなければならない。
【００２８】
以下で説明される本明細書及び請求範囲に使用された用語や単語は、通常的や辞書的な意味に限定して解釈すべきものではなく、発明者は自分の発明を最も最善の方法で説明するために用語の概念として適切に定義することができるという原則に即して本発明の技術的思想に相当する意味と概念として解釈されなければならない。したがって、本明細書に記載された実施例と図面に示された構成は、本発明の最も好ましい実施例に過ぎないもので、本発明の技術的思想をすべて代弁するものではないので、本出願時点においてこれらを代替することができる多様な均等物と変形例があり得ることを理解しなければならない。
【００２９】
図１は、本発明の実施例による永久磁石電動機の構成を概略的に示すブロック図であり、図２は、本発明の永久磁石電動機の構成をさらに詳しく示す図である。また、図３は、本発明の永久磁石電動機構成のうちモータの外観を概略的に示す図であり、図４は、本発明の直列コイル型モータの等価モデルを示す図である。
【００３０】
図１〜図４を参照すれば、本発明の永久磁石電動機１０は、直列コイル型モータ１００、インバータ４００、電流検出部５００、正相（Positive Sequence）電流制御機２００、逆相（Negative Sequence）電流制御機３００、補償電流算出部６００及び故障検出部７００の構成を含むことができる。また、本発明の永久磁石電動機１０は、故障検出部７００で検出された故障程度を適用し、電流指令値を提供することができる制御システムの構成をさらに含むことができる。
【００３１】
このような構成を有する本発明の永久磁石電動機１０は、直列コイル型モータ１００の駆動によって形成される電源を検出し、検出された電源を基盤として直列コイル型モータ１００と関連した数学的モデルを構築するように支援することができる。この過程で、永久磁石電動機１０は、あらかじめ設計された故障モデルを利用して直列コイル型モータ１００の固定子に異常、例えば短絡（Turn short）が発生したか否かを確認するように支援することができる。特に本発明の永久磁石電動機１０は、直列コイル型モータ１００のモデルから誘導された故障モデルを利用して数式的にその形態をあらかじめ判別することができるように支援し、直列コイル型モータ１００の故障だけでなく、故障程度、故障が発生した相を判別することができるように支援する。
【００３２】
直列コイル型モータ１００は、インバータ４００で提供される制御信号によってモータ動作を行う構成である。このような直列コイル型モータ１００は、図３に示されたように、固定子１１０と回転子１２０を含むことができる。
【００３３】
回転子１２０は、固定子１１０の中心に配置され、且つ固定子１１０に対向して一定の方向に回転することができるように固定子１１０から一定の間隔で離隔された形態で配置されることができる。このような回転子１２０は、中心に配置される回転軸と、前記回転軸を取り囲み、一定の幅を有する回転子鉄芯部と、回転子鉄芯部の外壁から回転子鉄芯部に延長して突出する突起部と、前記回転子鉄芯部の外壁に付着する第１極性の永久磁石とを含んで構成することができる。
【００３４】
固定子１１０は、多数個のスロットが一定の間隔を持って配置され、全体的に中央が空いた一定の厚さを有する円筒形の形状に設けられる。ここで、固定子１１０は、電動機の外周部を構成し、一定の厚さの円筒形に形成されることができ、円筒形の内部は、回転子１２０が配置されることができる空間に対応するように形成することができる。このような固定子１１０は、鉄製のように磁路が形成されることができる物質で形成することができる。特に固定子１１０は、鉄製で形成された多数個のスロットと、スロットそれぞれに一定の回数でコイルが巻き取られて形成される。このような固定子１１０は、回転子１２０に配置される第１極性の永久磁石から一定の間隔で離隔された形状に配置することができる。前記固定子１１０に形成されるスロットのコイルには、外部から順次に電流が供給することができる。これにより、固定子１１０の各スロットは、順次に電磁石の役目を行うようになり、内部に配置された回転子１２０が電磁石に変更される固定子１１０のスロットによって回転するようになる。特に第１極性の永久磁石１２９が固定子１１０の各スロットと一定の磁路を形成することによって、一定の方向に回転することができる。
【００３５】
前述したように、固定子１１０に含まれたコイルは、固定子コアのスロットに巻き取られている構造となっている。このコイルの外表面には、絶縁体で取り囲まれていて、互いに隣合うコイルの間に短絡が発生しないようになっている。しかし、時間が経つにつれて高電圧と熱に起因して該絶縁体の絶縁成分効果が弱化され、隣合うコイルの間に短絡（Turn Short）が発生するようになる。短絡が発生すれば、直列コイル型モータ１００の性能が劣化し、短絡されたコイルが１つの回路を形成し、磁石と固定子１１０の磁束によって大電流が誘起発生する。発生した大電流は、銅損（Copper loss）を発生させて熱の発生を深化させ、近いコイルの絶縁成分破壊を徐々に深化させるようになり、そのため、直列コイル型モータ１００が動作できない程度に破壊されるか、火事が発生することができる。本発明の永久磁石電動機１０は、短絡によるコイルの電気的変化を数学的にモデリングし、当該数学的モデルを基礎として直列コイル型モータ１００のどんな相がある程度の故障を発生させているかを一層簡単に且つ容易に行うように支援することができる。
【００３６】
直列コイル型モータ１００は、３相がバランス（Balanced）されたインピーダンスと逆起電力を有しているように設計される。ここで、短絡が発生する場合、短絡が発生した相においてのみインピーダンスと逆起電力が低くなり、短絡されたコイルは、独立的な回路を構成する。このような故障が発生したとき、直列コイル型モータ１００を駆動すれば、電流または電圧でアンバランス（unbalance）が発生するようになり、一般３相の特性とは異なって、逆相が発生するようになる。逆相は、正相の反対方向の回転角速度を有するものであって、正相が直列コイル型モータ１００の回転方向に回転磁界を形成すれば、逆相は、反対方向に回転磁界を形成する。これにより、正相の立場では、逆相の回転磁界が回転速度の２倍外乱と見えるようになる。ここで、逆相は、３相であるａ、ｂ、ｃ順次に形成された正相と反対に、ａ、ｃ、ｂの順に形成される成分であって、数学的にｂ相とｃ相の位相が異なるように具現される。正相及び逆相は、下記の数式６及び数式７で示すことができる。
【００３７】
【数６】
0005639681.tif 000007
【００３８】
【数７】
0005639681.tif 000008
【００３９】
ここで、ｆａｐ、ｆｂｐ、ｆｃｐは、３相正相の数学的表現であり、ｆａｎ、ｆｂｎ、ｆｃｎは、３相逆相の数学的表現になることができる。上記に示されたように、正相と逆相との位相差が逆順に表示される。逆相が発生する成分は、制御の方式によって異なるが、モータの相電流または電圧で発生する。
【００４０】
本発明では、モータのａｂｃ座標から同期ｄ−ｑ座標系（Ｓｙｎｃｈｒｏｎｏｕｓ  ｒｅｆｅｒｅｎｃｅ  ｆｒａｍｅ）にモデルを全体誘導し、数式モデルを基盤として故障の量、故障した相を判別することができように支援する。
【００４１】
【数８】
0005639681.tif 000009
【００４２】
上記数式８は、ａｂｃ座標でモータの磁束方程式である。Ａ−相で、ｘ（故障した相、故障したポールペア（Pole pair）で良好なコイルの比率）程度の故障が発生したと仮定した場合であり、直列コイル型モータ１００のモデルは、２Ｎ極であるとき、３Ｎスロットを有する集中巻方式を仮定したものである。上記数式３で、ＲＳ及びＬＳは、次の数式９のように表現することができる。
【００４３】
【数９】
0005639681.tif 000010
【００４４】
数式８のｖａ、ｖｂ、ｖｃは、モータの相電圧を示し、ｆは、コイル短絡が発生して形成された閉（closed）回路を表示する。Ｐは、ポールの数（pole number）であり、Ｐ／２は、ポールペアの数（Pole pair number）である。ｘは、故障したポールの故障がないコイルの比率であり、Ｌｍ、Ｌｌは、モータが正常状態であるときの各相の自己インダクタンス（Self inductance）、漏れインダクタンス（Leakage inductance）であり、Ｒは、相抵抗成分である。
【００４５】
Ｒｆは、短絡（Turn short）されながら発生した接触抵抗成分であり、γは、特定相のスロットで同一相の残りの他のポールペア（Pole pair）の結合係数（coupling factor）である。γは、バランスされた正常状態の直列コイル型モータ１００では適用されないが、コイル短絡が発生した場合、当該モデルの正確性を高めることができる。すなわち直列コイル型モータ１００が多極で構成される場合、１相の１コイルスロットで発生する磁束に変化が発生する場合、遠くある同じ相のコイルスロットに発生する磁束に影響を与えるようになる。例えば、１相の１コイルスロットで発生する磁束が減少すれば、遠くある同じ相のコイルスロットに伝達される磁束の量が少なくなる。これにより、多極の直列コイル型モータ１００では、従来の単純等価モデルで多様な状態を表現しにくい。そのため、バランスされた正常状態では、前述した量の偏差に対する考慮が不要であるが、コイル短絡が発生し、独立的な回路ループが生成される場合、コイル短絡によって形成された独立的な回路ループが既存の正常状態を維持する同一相のコイルとカップリング（Coupling）され、影響を受けるようになるので、本発明においてγを利用してこれを補正する。すなわち本発明の故障検出部７００は、多相及び多極を有するモータにおいて特定相のコイル短絡によって発生した磁束低減量をインダクタンス算出に適用するように支援する。
【００４６】
数式３で、電流ｉａ、ｉｂ、ｉｃを補償電流算出部６００を利用して逆相電流がないように電流値を構成した後、逆相電流制御機３００に適用すれば、次の数式５のようなバランス電流を正相電流制御機２００に適用した後、適用された信号をインバータ４００に印加することができる。
【００４７】
【数１０】
0005639681.tif 000011
【００４８】
数式８に数式１０の電流を印加し、短絡発生による別途独立回路に流れるｉｆ電流と同期座標系ｄ−ｑ座標系に変換すれば、次の数式１１のような結果を得ることができる。
【００４９】
【数１１】
0005639681.tif 000012
【００５０】
前述した数式を適用するにあたって、故障がない直列コイル型モータ１００には、ｘが１になる。故障がない直列コイル型モータ１００の正相同期座標系において直列コイル型モータ１００の電流成分をＤＣの形態に制御することができる。一方、故障が発生すれば、逆相が数式のように発生するので、逆相に対する電流補償値を補償電流算出部６００が算出し、算出された電流補償値を逆相電流制御機３００に適用した後、逆相電流制御機３００の出力値を正相電流制御機２００の出力値に適用するように支援することができる。特に故障検出部７００は、補償電流算出部６００で算出された電流補償値が提供された逆相電流制御機３００の出力信号をフィルタリングし、当該信号を前述した数式に適用し、故障した相の位置、すなわちｘを把握することができるようにする。故障した相とｘの量を把握すれば、ｉｆの電流の量を制限することができる速度と相電流の量を調節し、過電流による直列コイル型モータ１００がこれ以上絶縁破壊が進行されないようにすることができる運転点を探すことができる。このために、故障検出部７００は、故障値に関する情報を制御システムに提供することができる。
【００５１】
前記インバータ４００は、前記モータ１１０に一定の電源、例えば３相電圧を提供する構成である。このようなインバータ４００は、電流制御機で生成されて提供される３相電流を受信し、当該電流に対応する制御信号を生成し、インバータ電圧を発生させて直列コイル型モータ１００に提供する。特にインバータ４００が生成する信号は、直列コイル型モータ１００の短絡発生による特定相の故障状態を補償するための制御信号を生成し、生成された信号を直列コイル型モータ１００に提供することができる。この際、インバータ４００に提供される信号は、故障検出部７００で検出した故障した相及び故障の程度が適用された電流指令値に該当する信号及び逆相成分を除去するように設計された電流補償値が適用された値になる。
【００５２】
正相電流制御機２００は、直列コイル型モータ１００の駆動のためにあらかじめ定義された電流指令値に対応する信号を生成し、生成された信号をインバータ４００に提供する構成である。この過程で正相電流制御機２００は、補償電流算出部６００から直列コイル型モータ１００の短絡によって発生した故障補償値を提供され、当該故障補償値を電流指令値に適用し、インバータ４００に提供する信号を生成する。特に正相電流制御機２００は、故障検出部７００が検出した故障した相及び故障の程度が適用された電流指令値を制御システムから伝達され、逆相電流制御機３００から出力された出力値を電流指令値に適用した後、これをインバータ４００に提供するように支援することができる。これにより、本発明の正相電流制御機２００は、直列コイル型モータ１００の短絡が発生しても、当該短絡によるエラーを最小化する電流値に該当する信号を生成及び提供するように支援する。
【００５３】
逆相電流制御機３００は、直列コイル型モータ１００の動作で発生した逆相成分を最小化するように算出された電流補償値及び制御システムが提供する電流指令値を適用した出力値を算出する構成である。逆相電流制御機３００が算出した値は、故障検出部７００に提供されることができ、また、正相電流制御機２００に提供されることができる。
【００５４】
電流検出部５００は、インバータ４００から直列コイル型モータ１００に提供される信号または直列コイル型モータ１００の駆動による信号を検出する構成である。電流検出部５００は、直列コイル型モータ１００に提供される３相電流信号または３相電圧信号を検出し、検出された信号を補償電流算出部６００に提供する。特に電流検出部５００は、直列コイル型モータ１００の動作による３相電流信号をセンシングし、これを補償電流算出部６００に提供することができる。この際、検出される電流検出部５００は、それぞれ３相を区分することができる各位置での電流センシング値であり、これは、電流ベクトルとして表現することができる。
【００５５】
補償電流算出部６００は、電流検出部５００が検出した電流ベクトル値を利用して電流指令値による電流補償値を算出し、これを正相電流制御機２００及び逆相電流制御機３００に提供する構成である。補償電流算出部６００は、電流検出部５００が検出した３相の電流信号を２相のｄ−ｑ同期座標系に転換し、フィルタリングを行った後、極座標系適用のための回転フェーザを適用し、ｄ−ｑ ２相の同期座標系信号を算出することができる。この過程で、補償電流算出部６００が算出する電流補償値は、逆相成分を除去するための値として算出される。
【００５６】
故障検出部７００は、逆相電流制御機３００が正相電流制御機２００に提供する信号をフィルタリングし、ＤＣ成分で構成し、これを数式に適用するように支援する構成であって、故障発生によるｄ−ｑ同期座標系電圧を提供する構成である。この際、故障検出部７００は、故障が発生した相でのインダクタンスを数学的に考慮するようになり、特に特定相の特定スロットで発生した磁束が同一相の他のスロットに与える影響を考慮するように算出されることができる。すなわち故障検出部７００は、数式４で示すＬＳ適用において同一相の他のスロットの磁束変化を考慮することによって、当該直列コイル型モータ１００で発生する逆相電流制御値をさらに精密に算出することができ、これにより、直列コイル型モータ１００の短絡による影響を最小化する形態の直列コイル型モータ１００の駆動を可能に支援することができる。これにより、故障検出部７００は、逆相電流制御機３００の出力及び前述した数式を利用して構成された故障モデルを基盤として故障が発生した直列コイル型モータ１００でのｘ値を確認することができるように支援する。
【００５７】
図５は、本発明の実施例による直列コイル型永久磁石モータの故障検出方法を説明するための図である。
【００５８】
図５を参照すれば、Ｓ１０１段階で、正相電流制御機２００は、あらかじめ定義された電流指令値によってインバータ４００の制御信号を生成し、生成された制御信号をインバータ４００に提供する。
【００５９】
次に、インバータ４００は、Ｓ１０３段階で、正相電流制御機２００の出力を基盤として直列コイル型モータ１００の動作のための制御信号を生成し、生成された制御信号を直列コイル型モータ１００に提供し、直列コイル型モータ１００の動作を行うことができる。
【００６０】
一方、電流検出部５００は、Ｓ１０５段階で、直列コイル型モータ１００の動作による電流ベクトルを検出し、検出された電流ベクトルを補償電流算出部６００に提供する。これにより、補償電流算出部６００は、Ｓ１０７段階で、電流ベクトルを基盤として逆相成分を除去するために電流補償値を算出する。
【００６１】
補償電流検出部６００で電流補償値が算出されれば、Ｓ１０９段階で、当該電流補償値は、逆相電流制御機３００及び正相電流制御機２００に提供される。この際、故障検出部７００は、Ｓ１１１段階で、逆相電流制御機３００から出力された逆相成分の故障値の検出を磁束方程式に適用することによって、故障が発生した相と故障程度を検出するように支援する。このために、故障検出部７００は、短絡が発生した特定相と当該相での故障程度を適用する故障モデルを正相電流成分に逆相電流成分を適用した磁束方程式を利用して構成することができる。特に故障検出部７００は、故障が発生した特定相の特定スロットで発生する磁束変化だけでなく、同一相の磁束変化によって誘導される同一相の他のスロットで発生する磁束変化値を適用することができる誘導磁束変化量γを磁束方程式に適用するように支援する。これにより、本発明の故障検出部７００は、直列コイル型モータ１００で発生する実際逆相成分をさらに精密に且つ詳細に故障モデルに適用することによって、故障モデルに最適化されたモータ速度と相電流の量を調節することができるように支援することができる。故障検出部７００で検出された故障値は、電流指令値を提供する制御システムに提供され、制御システムは、当該故障値を適用した電流指令値を算出し、正相電流制御機２００及び逆相電流制御機３００に提供することができる。
【００６２】
図６及び図７は、本発明の実施例による故障モデル適用によるモデル正確度を示す図であり、特に図６は、ＦＥＭシミュレーション基盤の正確度測定を示すものであり、図７は、ｉｆ電流正確度を示すものである。
【００６３】
図６で、本発明の故障モデルは、ＦＥＭ解釈を用いたモデル正確度を確認するためのものであり、６極９スロット直列コイル型モータ（正格１８Ｖｒｍｓ）、ｘ＝０．６６６６（１スロットに３３％のコイル短絡発生時）を基準として測定した値である。ここで、図６は、逆相電圧出力を示すものであり、特にｘ軸は、Ｖｄｅ−、ｙ軸は、Ｖｑｅ−値である。逆相電圧出力とｉｆ電流測定が実際状況と非常に類似に検出されることが分かる。特に本発明の故障モデルは、数学的に算出され計算される形態なので、多様なモータに対してさらに容易に且つ簡便に適用することができる。
【００６４】
以上で説明したように、本発明の実施例による直列コイル型永久磁石モータの故障検出方法及びこれを支援するシステムは、直列コイル型モータ１００の短絡による故障発生を数学的に構成した故障モデルを通じて支援し、実際故障発生時に短絡が発生した相及び同一相の他のスロットの磁束変化を考慮してさらに正確な故障した相及び故障の程度を算出することができるように支援する。これにより、本発明の故障した相及び故障の程度に相当する正確な電流指令値及び逆相電流補償値を適用することによって、直列コイル型モータ１００での損傷が追加的に発生しない適切な運転点の算出及び駆動が可能となるように支援することができる。
【００６５】
以上、本発明をいくつかの好ましい実施例を使用して説明したが、これら実施例は、例示的なものであって、限定的なものではない。このように本発明の属する技術分野における通常の知識を有する者なら本発明の思想と添付の特許請求範囲に提示された権利範囲から逸脱することなく、均等論によって多様な変化と修正を行うことができることを理解できる。
【符号の説明】
【００６６】
１０  永久磁石電動機
１００  直列コイル型モータ
２００  正相（Positive Sequence）電流制御機
３００  逆相（Negative Sequence）電流制御機
４００  インバータ
５００  電流検出部
６００  補償電流検出部
７００  故障検出部
【図１】
0005639681.tif 000020
【図２】
0005639681.tif 000021
【図３】
0005639681.tif 000022
【図４】
0005639681.tif 000023
【図５】
0005639681.tif 000024
【図６】
0005639681.tif 000025
【図７】
0005639681.tif 000026